【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
取っ手軸に沿って基端から先端まで延在し口腔ケア液を収容する内部タンクを備えた取っ手と、
取っ手の先端に連結され複数の歯磨き要素を備えた頭部と、
取っ手の基端より延在し取っ手の内部タンクに至る通路が形成された内面を有する環状首部と、
端末キャップと、を備え、
端末キャップは、キャップソケットが形成され環状壁と端部を有するキャップ本体と、中央室が形成された内面を有する環状プラグ壁を備え、環状プラグ壁は、端部よりキャップソケット内に突出して環状プラグ壁の外面とキャップ本体の環状壁の内面との間に環状室を形成し、端末キャップはさらに、環状プラグ壁の外面より突出する第１環状シール部材を備え、
環状首部は環状室内に延在し、環状プラグ壁は通路内に延在し、第１環状シール部材は付勢されて環状首部の内面の環状部に接触するように、端末キャップは取っ手に連結されて通路を流体密封状にシールするようにした、歯ブラシ。
【請求項２】
第１環状シール部材は環状プラグ壁と一体的に形成された、請求項１に記載の歯ブラシ。
【請求項３】
端末キャップが取っ手に連結される前、第１環状シール部材は環状首部の内面の環状部の内径より大きい外径を有する、請求項２に記載の歯ブラシ。
【請求項４】
第１環状シール部材と環状首部の内面の環状部との間に第１環状密封シールが形成された、請求項１及び２のいずれか１項に記載の歯ブラシ。
【請求項５】
環状首部は取っ手と一体的に形成された、請求項１乃至３のいずれか１項に記載の歯ブラシ。
【請求項６】
端末キャップは取っ手に締り嵌めで連結された、請求項１乃至５のいずれか１項に記載の歯ブラシ。
【請求項７】
環状首部の外面とキャップ本体の環状壁の内面との間に第２環状シール部材をさらに備えた、請求項１乃至６のいずれか１項に記載の歯ブラシ。
【請求項８】
第１及び第２環状シール部材はキャップ軸に沿ってある長さだけ互いにずれている、請求項７に記載の歯ブラシ。
【請求項９】
第２環状シール部材は環状首部の外面とキャップ本体の環状壁の内面の一つに一体的に形成され、環状首部の外面とキャップ本体の環状壁の内面の他の一つは第１環状溝を備え、第２環状シール部材が第１環状溝に嵌入するようにした、請求項７及び８のいずれか１項に記載の歯ブラシ。
【請求項１０】
第２環状シール部材は環状首部の外面と一体的に形成され、第１環状シール部材が環状首部の内面の環状部に付勢されることで、第２環状シール部材がキャップ本体の環状壁の内面の環状部に接触するように付勢されるようにした、請求項７及び８のいずれか１項に記載の歯ブラシ。
【請求項１１】
第２環状シール部材とキャップ本体の環状壁の内面の環状部との間に第２環状密封シールが形成された、請求項１０に記載の歯ブラシ。
【請求項１２】
環状プラグ壁とキャップ本体の環状壁が同心状である、請求項１乃至１１のいずれか１項に記載の歯ブラシ。
【請求項１３】
第１環状シール部材は環状プラグ壁の先端に位置している、請求項１乃至１２のいずれか１項に記載の歯ブラシ。
【請求項１４】
第１環状シール部材は、環状プラグ壁の先端の外周面回りにテーパー状に形成されるか丸みを帯びた先端縁を有する、請求項１３に記載の歯ブラシ。
【請求項１５】
環状首部は、テーパー状に形成されるか丸みを帯びた内周面を有する先端縁で終端するようにした、請求項１乃至１４のいずれか１項に記載の歯ブラシ。
【請求項１６】
キャップ本体の環状壁は、テーパー状に形成されるか丸みを帯びた内周面を有する先端縁で終端するようにした、請求項１乃至１５のいずれか１項に記載の歯ブラシ。
【請求項１７】
キャップ本体の環状壁は取っ手の基端で横肩部と隣接する先端縁で終端し、キャップ本体の環状壁は取っ手の外面と実質的に面一の外面を有する、請求項１乃至１５のいずれか１項に記載の歯ブラシ。
【請求項１８】
キャップ本体の端部は、キャップ本体の環状壁の外面と実質的に面一のドーム状外面を有する、請求項１７に記載の歯ブラシ。
【請求項１９】
複数の歯磨き要素の反対側の頭部に位置する塗布器と、内部タンク内の口腔ケア液と流体連結された第１端部と塗布器と流体連結された第２端部を有する芯部材をさらに備え、内部タンク内の口腔ケア液は芯部材を介して毛細管作用でのみ塗布器に供給される、請求項１乃至１８のいずれか１項に記載の歯ブラシ。
【請求項２０】
取っ手軸に沿って基端から先端まで延在し口腔ケア液を収容する内部タンクを備えた取っ手と、
取っ手の先端に連結され複数の歯磨き要素を備えた頭部と、
取っ手の基端より延在し取っ手の内部タンクに至る通路が形成された内面を有する環状首部と、
端末キャップと、を備え、
端末キャップは、キャップソケットが形成され環状壁と端部を有するキャップ本体と、端部からキャップソケット内に突出してプラグの外面とキャップ本体の環状壁の内面との間に中央室を形成するプラグと、プラグの外面とキャップ本体の環状壁の内面との間に設けられた第１環状シール部材を備え、
環状首部は環状室内に延在し、プラグは通路内に延在し、第１環状シール部材は環状首部の内面の環状部に圧力を加えるように、端末キャップは取っ手に連結されて通路を流体密封状にシールするようにした、歯ブラシ。
【請求項２１】
環状首部の外面とキャップ本体の環状壁の内面との間に第２環状シール部材をさらに備えた、請求項２０に記載の歯ブラシ。
【請求項２２】
第１及び第２環状シール部材はキャップ軸に沿ってある長さだけ互いにずれている、請求項２１に記載の歯ブラシ。
【請求項２３】
第２環状シール部材は環状首部と一体的に形成され、第１環状シール部材により環状首部の内面の環状部に対し加えられた圧力により第２環状シール部材がキャップ本体の環状壁の内面の環状部に対し圧力を加えるようにした、請求項２１及び２２のいずれか１項に記載の歯ブラシ。
【請求項２４】
第１環状シール部材はプラグと一体的に形成され、端末キャップが取っ手に連結される前、第１環状シール部材は、環状首部の内面の環状部の内径より大きい外径を有する、請求項２０乃至２３のいずれか１項に記載の歯ブラシ。
【請求項２５】
プラグはテーパー状か丸みを帯びた先端外周面を有し、環状首部はテーパー状か丸みを帯びた内周面を有する先端縁で終端するようにした、請求項２０乃至２４のいずれか１項に記載の歯ブラシ。
【請求項２６】
キャップ本体の環状壁は取っ手の基端において横肩部と隣接する先端縁で終端し、キャップ本体の環状壁は取っ手の外面と実質的に面一の外面を有し、キャップ本体の端部はキャップ本体の環状壁の外面と実質的に面一のドーム状外面を有する、請求項２０乃至２５のいずれか１項に記載の歯ブラシ。
【請求項２７】
複数の歯磨き要素の反対側の頭部に位置する塗布器と、内部タンク内の口腔ケア液と流体連結された第１端部と塗布器と流体連結された第２端部を有する芯部材をさらに備え、内部タンク内の口腔ケア液は芯部材を介して毛細管作用でのみ塗布器に供給される、請求項２０乃至２６のいずれか１項に記載の歯ブラシ。
【請求項２８】
歯ブラシの取っ手内に位置し口腔ケア液を収容した内部タンクに至る通路をシールする方法であって、
（ａ）端末キャップを歯ブラシの取っ手の先端から延在する環状首部に整列させ、端末キャップは共同してキャップソケットを形成する環状壁と端部を有するキャップ本体を備え、環状首部は通路を形成する内面を有し、
（ｂ）（１）端末キャップのプラグが通路内に延在し、（２）環状首部がプラグの外面とキャップ本体の環状壁の内面との間に形成された環状室内に延在し、（３）プラグの外面から突出する第１環状シール部材が環状首部の内面の環状部に圧力を加えることにより第１環状密封シールを形成するまで、環状首部をキャップソケットに平行移動するようにした、方法。
【請求項２９】
キャップの中央室が取っ手の内部タンクと液体連結し、その結果内部タンクの液体が中央室も満たす請求項１乃１９のいずれか１項に記載の歯ブラシ。